(57)【要約】【課題】前面板あるいは背面板に多層の電極配線を有しても、配線抵抗のバラツキの少ない高速駆動可能でかつ高信頼性のプラズマディスプレイパネルを提供する。【解決手段】データ電極９が誘電体層１５で覆われるとともに、誘電体層１５上にプライミング電極１４を備え、データ電極９の外部への配線取り出し部１９を背面基板２００上に設け、プライミング電極１４の外部への配線取り出し部１８を誘電体層１５上に設け、それぞれ誘電体層１５の厚みの段差を設けて形成する。【選択図】図７
2004273425.tif 000002
【特許請求の範囲】
【請求項１】
少なくとも表示電極となる第１電極を具備した前面板と、前記前面板との間に放電空間を形成する少なくともデータ電極となる第２電極とを具備した背面板とを、前記前面板と前記背面板の周囲で封止したプラズマディスプレイパネルであって、
前記第１電極あるいは前記第２電極のうちの少なくとも一方に誘電体層を挟んで配置される第３電極を設け、前記第１電極あるいは前記第２電極の外部への配線取り出し部と前記第３電極の外部への配線取り出し部とを前記誘電体層の厚みの段差を有して設けたことを特徴とするプラズマディスプレイパネル。
【請求項２】
少なくとも表示電極となる第１電極を具備した前面板と、前記前面板との間に放電空間を形成する少なくともデータ電極となる第２電極とを具備した背面板とを、前記前面板と前記背面板の周囲で封止したプラズマディスプレイパネルであって、
前記第１電極あるいは前記第２電極のうちの少なくとも一方に誘電体層を挟んで配置される第３電極を設け、前記第１電極あるいは前記第２電極の外部への配線取り出し部と前記第３電極の外部への配線取り出し部とを同一面上に設けたことを特徴とするプラズマディスプレイパネル。
【請求項３】
第１電極あるいは第２電極の配線取り出し部と第３電極の配線取り出し部とのうちの少なくとも一方において、誘電体層の厚みを前記配線取り出し部に向かって傾斜するように小さくしたことを特徴とする請求項２に記載のプラズマディスプレイパネル。
【請求項４】
第１電極あるいは第２電極の配線取り出し部と第３電極の配線取り出し部とのうちの少なくとも一方の配線取り出し部が、誘電体層に形成されたビアホール部を介して他方の配線引き出し部と同一面上に設けた引き出し電極上に設けられていることを特徴とする請求項２に記載のプラズマディスプレイパネル。
【請求項５】
第３電極はプラズマディスプレイパネルの面内で同電位を与える電極であることを特徴とする請求項１から請求項４のいずれかに記載のプラズマディスプレイパネル。
【請求項６】
少なくとも第３電極に印加される電位が第１電極および第２電極に印加される電位と異なることを特徴とする請求項５に記載のプラズマディスプレイパネル。
【請求項７】
第３電極がプライミング電極であることを特徴とする請求項１から請求項６のいずれかに記載のプラズマディスプレイパネル。
【発明の詳細な説明】
【技術分野】
【０００１】
本発明はプラズマディスプレイパネルに関し、特に多層構造を有する電極配線を高い信頼性で配線接続できるプラズマディスプレイパネルに関する。
【背景技術】
【０００２】
高品位テレビジョン画像を大画面で表示するためのディスプレイ装置として、プラズマディスプレイパネル（以下ＰＤＰとよぶ）を使用した装置への期待が高まっている。ＰＤＰは、基本的には、前面板と背面板とで構成されている。
【０００３】
前面板は、ガラス基板と、その一方の主面上に形成されたストライプ状の透明電極およびバス電極よりなる表示電極と、この表示電極を覆ってコンデンサとしての働きをする誘電体層と、この誘電体層上に形成された誘電体保護膜とで構成されている。一方、背面板は、ガラス基板と、その一方の主面上に形成されたストライプ状のアドレス電極と、このアドレス電極を覆う誘電体層と、その上に形成された隔壁と、各隔壁間に形成された、赤色、緑色および青色でそれぞれ発光する蛍光体層とで構成されている。
【０００４】
前面板と背面板とはその電極形成面側を対向させてその周囲を封止することによって気密封着され、隔壁によって形成された放電空間にはネオン（Ｎｅ）−キセノン（Ｘｅ）などの放電ガスが４００Ｔｏｒｒ〜６００Ｔｏｒｒの圧力で封入されている。表示電極に映像信号電圧を選択的に印加することによって放電ガスを放電させ、それによって発生した紫外線が各色蛍光体層を励起して赤色、緑色、青色の発光をし、カラー画像表示を実現している。
【０００５】
この時、前面板に設けられた表示電極や背面板に設けられたアドレス電極の配線取り出し部はそれぞれ基板上の同一面に設けられ、配線取り出し部に異方導電性部材を介してフレキシブルプリント基板（以下ＦＰＣとよぶ）を圧着し、外部配線と接続している。一方、これらの電極がそれぞれの基板上で所定厚みの絶縁体層を介して多層構造を有するＰＤＰとして、前面板の電極配線層が走査電極と維持電極を第１層目の電極層とし、誘電体層を隔ててトリガ電極を第２層目の電極層として設けた例が開示されている（例えば、特許文献１）。
【特許文献１】特開２００１−２１０２４３号公報
【発明の開示】
【発明が解決しようとする課題】
【０００６】
このように、配線取り出し部に異方導電性部材を介してＦＰＣを圧着し、外部配線と接続する方法では、配線取り出し部をＰＤＰの外周となる４辺に設け、それぞれの各辺の配線取り出し部に印加される電位が同一となるように電極配置している。したがって、各辺においてＦＰＣを圧着接続する際に、配線取り出し部とＦＰＣとの接続不良を回避するために各辺での配線取り出し部は同一平面内に設けられている。また、このように各辺に印加される電位が同電位となる配線取り出し部を設ける場合で、なおかつ電極が絶縁体層などを介して多層構造を有する場合には、配線取り出し部では、第２層目の電極配線が絶縁体層段差をまたがるように配置している。このため、第２層目の電極配線が段差部において、配線厚みが薄くなるため配線抵抗が高くなる場合や、断線するなどの課題を有していた。
【０００７】
本発明は、基板上に形成された電極が多層構造で、それらへの印加電位が異なる場合でも、配線取り出し部の電極配線の特性を安定化し、信頼性の高いＰＤＰを提供することを目的としている。
【課題を解決するための手段】
【０００８】
上記課題に鑑み、本発明のＰＤＰは、少なくとも表示電極となる第１電極を具備した前面板と、前面板との間に放電空間を形成する少なくともデータ電極となる第２電極とを具備した背面板とを、前面板と背面板の周囲で封止したＰＤＰであって、第１電極あるいは第２電極のうちの少なくとも一方に誘電体層を挟んで配置される第３電極を設け、第１電極あるいは第２電極の外部への配線取り出し部と第３電極の外部への配線取り出し部とを誘電体層の厚みの段差を有して設けている。
【０００９】
この構成によって、それぞれの電極はその配線取り出し部まで同一平面内で形成することができるために、配線取り出し部での電極配線の特性が安定し、信頼性の高いＰＤＰを実現することができる。
【００１０】
また、本発明のＰＤＰは、少なくとも表示電極となる第１電極を具備した前面板と、前面板との間に放電空間を形成する少なくともデータ電極となる第２電極とを具備した背面板とを、前面板と背面板の周囲で封止したＰＤＰであって、第１電極あるいは第２電極のうちの少なくとも一方に誘電体層を挟んで配置される第３電極を設け、第１電極あるいは第２電極の外部への配線取り出し部と第３電極の外部への配線取り出し部とを同一面上に設けている。
【００１１】
この構成によって、全ての配線取り出し部が同一面上に設けられ、ＦＰＣの圧着工程が安定し、配線取り出し部での電極配線の特性が安定し、信頼性の高いＰＤＰを実現することができる。
【００１２】
さらに、第１電極あるいは第２電極の配線取り出し部と第３電極の配線取り出し部とのうちの少なくとも一方において、誘電体層の厚みを配線取り出し部に向かって傾斜するように小さくしてもよい。そのため配線取り出しのための急激な段差部を排除でき、電極配線の信頼性が優れたＰＤＰを実現できる。
【００１３】
さらに、第１電極あるいは第２電極の配線取り出し部と第３電極の配線取り出し部とのうちの少なくとも一方の配線取り出し部が、誘電体層に形成されたビアホール部を介して他方の配線引き出し部と同一面上に設けた引き出し電極上に設けられてもよい。そのため、第３電極の急激な段差部を排除でき、電極配線の信頼性が優れたＰＤＰを実現できる。
【００１４】
さらに、ここで第３電極はＰＤＰの面内で同電位を与える電極であってもよい。そのため、ＰＤＰ全面に亘って配線取り出し部を少なくすることができ、配線取り出し部を高い信頼性で実現することが可能となる。
【００１５】
さらに、少なくとも第３電極に印加される電位が第１電極および第２電極に印加される電位と異なり、また、第３電極はプライミング電極であってもよい。そのため、信頼性の高い電極配線ができ、プライミング放電を安定して実現でき、書き込み放電の放電遅れの小さい高精細化パネルでも安定した画質のＰＤＰを実現できる。
【発明の効果】
【００１６】
本発明によれば、ＰＤＰの配線取り出し部において、電極の配線に段差がない構造とすることにより、電極の配線厚みのバラツキ発生を抑え、抵抗が高くなることもなく、信頼性の高いＰＤＰを得ることができる。
【発明を実施するための最良の形態】
【００１７】
以下、本発明の実施の形態について図面を用いて説明する。
【００１８】
（実施の形態１）
図１に本発明の実施の形態１におけるＰＤＰの断面図を示し、図２に本発明の実施の形態１におけるＰＤＰの背面板の斜視図を示す。
【００１９】
図１に示すように、前面板１と、背面板２とが放電空間３を挟んで対向して配置され、その放電空間３には放電によって紫外線を放射するガスとして、ネオン（Ｎｅ）およびキセノン（Ｘｅ）などが封入されている。誘電体層４および保護膜５で覆われかつ帯状の対をなす走査電極６と維持電極７とが互いに平行にされた表示電極となる第１電極が、前面板１の前面基板１００上に配置されている。この走査電極６および維持電極７は、それぞれ透明電極６ａ、７ａと、この透明電極６ａ、７ａ上に重なるように形成されかつ導電性を高めるための銀（Ａｇ）材料などからなる金属母線６ｂ、７ｂとから構成されている。また、走査電極６と維持電極７とは、走査電極６−走査電極６−維持電極７−維持電極７・・・・となるように、２本ずつ交互に配列され、走査電極６間および維持電極７間のそれぞれの電極間には、黒色材料からなる光吸収層８が設けられている。
【００２０】
一方、図１および図２に示すように、背面板２の背面基板２００上には、走査電極６および維持電極７と直交する方向に、第２電極として複数の帯状のデータ電極９が、互いに平行となるように配置されている。さらに、背面板２には、走査電極６および維持電極７とデータ電極９とで形成される複数の放電セルを区画するための隔壁１０が形成されているとともに、この隔壁１０により区画されたセル空間１１に放電セルに対応して形成した蛍光体層１２が設けられている。隔壁１０は、前面板１に設けられた走査電極６および維持電極７と直交する方向、すなわちデータ電極９と平行な方向に延びる縦壁部１０ａと、この縦壁部１０ａに交差するように設けてセル空間１１を形成し、かつセル空間１１の間に隙間部１３を形成する横壁部１０ｂとで構成されている。なお、前面板１に形成する光吸収層８は、隔壁１０の横壁部１０ｂ間に形成した隙間部１３の空間に対応する位置に形成されている。
【００２１】
また、背面板２の隙間部１３には、この隙間部１３内の空間において前面板１と背面板２間で放電を生じさせるための第３電極であるプライミング電極１４がデータ電極９と直交する方向に形成され、隙間部１３によってプライミングセルが形成されている。このプライミング電極１４は、データ電極９を覆う誘電体層１５上に形成され、プライミング電極１４を覆うようにさらに誘電体層１６が形成されており、データ電極９よりも隙間部１３内の空間に近い位置に形成されている。さらに、プライミング電極１４は、走査パルスが印加される走査電極６同士が隣り合う部分に対応する隙間部１３にのみ形成され、そして走査電極６の金属母線６ｂの一部が、隙間部１３に対応する位置に延長して光吸収層８上に形成されている。すなわち、隣接した走査電極６のうち、隙間部１３の領域の方向に突出した金属母線６ｂと、背面板２側に形成されたプライミング電極１４との間でプライミング放電が行われる。
【００２２】
ＰＤＰは前面板１と背面板２とを、データ電極９と走査電極６および維持電極７とが直交するように対向させてその周囲を気密封着している。隔壁１０によって形成されたセル空間１１は、それぞれ赤色、緑色、青色の放電空間１７Ｒ、１７Ｇ、１７Ｂが形成され、各色の蛍光体層１２がその壁面に形成されるとともに、ネオン（Ｎｅ）−キセノン（Ｘｅ）などの放電ガスが４００Ｔｏｒｒ〜６００Ｔｏｒｒの圧力で封入されている。走査電極６や維持電極７に映像信号電圧を選択的に印加することによって放電ガスを放電させ、その結果、発生した紫外線が各色蛍光体層１２を励起し、蛍光体が赤色、緑色、青色に発光し、カラー画像が表示される。また、本実施の形態におけるＰＤＰは、隙間部１３においてプライミング放電を形成し、書き込み時の放電遅れを小さくして高精細パネルなどのアドレス特性を安定化させたＰＤＰを実現している。
【００２３】
図３に本発明の実施の形態１におけるＰＤＰの背面板２の平面図を示し、図４には図３のＡ−Ａ断面図を示す。図３の斜線部で示す第３電極であるプライミング電極１４は、走査パルスが印加される走査電極６同士が隣り合う部分に対応する隙間部１３にのみ形成され、ＰＤＰの面内で同電位を与えるように構成されるとともに、第１電極を構成する走査電極６、維持電極７と第２電極を構成するデータ電極９に与える電位と異なっている。また、プライミング電極１４の配線取り出し部１８は背面板２の４隅に設けられるとともに、その配線取り出し部１８を除いてプライミング電極１４を覆う誘電体層１６が設けられている。また、誘電体層１５はデータ電極９の配線取り出し部１９を除いて設けられている。したがって、図４に示すように配線取り出し部１８と配線取り出し部１９とは誘電体層１５の膜厚だけの段差部２０を有している。
【００２４】
一方、ＰＤＰの走査電極６や維持電極７、あるいはデータ電極９は電極の駆動やその制御を行うための電気回路とＦＰＣを用いて接続されている。図５は、本発明の実施の形態１における前面板１と背面板２が封止接合されたＰＤＰを前面板１側から見た平面図であり、背面板２の上端部２２、下端部２１にデータ電極９の配線取り出し部１９がいくつかのブロックに分けられて配置されている。
【００２５】
図６に、取り出し電極面が同一面である場合において、データ電極９の配線取り出し部１９に外部配線と接続するＦＰＣ２３を取り付けた部分の断面図を図６に示す。ＦＰＣ２３は、絶縁性と可とう性を備えたポリイミドなどの樹脂のベースフィルム２４上に銅箔などからなる複数本の配線パターン２５を形成し、端部の接続部領域のみを露出させてそれ以外の領域の配線パターン２５部分をポリイミドなどの樹脂のカバーフィルム２６で覆った構造である。配線パターン２５は異方導電性材料２７を介して配線取り出し部１９のデータ電極９に接続され、その周囲を接着剤２８で覆っている。異方導電性材料２７は絶縁材料の中にニッケル（Ｎｉ）などの導電性粒子が分散されたものであり、そのままでは導電性を有しないが、背面板２とＦＰＣ２３との間に挟み、熱圧着により絶縁材料を押しつぶすことにより、データ電極９と配線パターン２５との間を導電性粒子が結合し導通が得られるというものである。
【００２６】
図１３（ａ）は、従来のＰＤＰにおいて電極が段差を有して設けられている場合の、電極を取り出す配線取り出し部の構成を示す平面図であり、図１３（ｂ）は図１３（ａ）のＢ−Ｂ断面図である。図３の背面板２の平面図に示す４隅のうちのひとつを拡大して示している。図１３に示すように、ＦＰＣ圧着工程などの簡便化などのために、データ電極９とプライミング電極１４を配線取り出し部で同一面上に設けている。すなわち、背面基板２００上に誘電体層１５を設け、さらにプライミング電極１４は誘電体層１５上に設けられ、背面基板２００の端部において背面基板２００の同一平面上でプライミング電極１４とデータ電極９との配線が取り出されるようにしている。
【００２７】
この場合、プライミング電極１４は誘電体層１５の厚みの段差部４０を有して形成されることになる。電極の配線に段差があると、段差部分で配線厚さにバラツキが生じ、薄くなった部分で配線抵抗が高くなり、信号の伝播遅延時間が大きくなり、信号を高速に駆動できなくなる。したがって、画素密度の増大化に対応すべく高精細なＰＤＰを得ようとする際には大きな課題となってくる。また、このような段差があると、電極の断線も発生しやすくなり信頼性が著しく低下する。
【００２８】
図７には、本発明の実施の形態１における図３および図４に示すＰＤＰの配線取り出し部の構成の詳細を示す。図７（ａ）はその平面図を示し、図７（ｂ）は図７（ａ）のＣ−Ｃ断面図である。実施の形態１では、プライミング電極１４の配線取り出し部１８では、プライミング電極１４は誘電体層１５上に形成されている。すなわち、データ電極９の配線取り出し部１９とプライミング電極１４の配線取り出し部１８とは、図４に示すような誘電体層１５の厚み分の段差部２０を有している。したがって、データ電極９へのＦＰＣ接続とプライミング電極１４へのＦＰＣ接続とを段差部２０を有した状態で行うものである。
【００２９】
本発明の第３電極であるプライミング電極１４はＰＤＰの面内で同電位を与える電極であり、他の電極と異なる電位を与える電極である。そのため、図３では配線取り出し部１８は４隅設けているが、ＰＤＰ面内で最低一ヶ所あればよく、データ電極９の配線取り出し部１９へのＦＰＣ接続と別個の工程で接続することが可能となる。したがって、プライミング電極１４を同一平面上に形成することが可能となるため、電極の配線に段差がなく、高速に信号を駆動することができる。また、電極の配線厚みのバラツキによる断線、あるいは配線抵抗が高いために発生する熱による劣化などの不具合がなく、信頼性の高い配線を有するＰＤＰを実現することが可能となる。
【００３０】
なお、本実施の形態では、プライミング電極１４の配線引き出し方向がデータ電極９の配線引き出し方向と同方向となっているが、誘電体層１５のパターンによっては必ずしも同方向とする必要はない。
【００３１】
（実施の形態２）
図８に実施の形態２におけるＰＤＰの配線取り出し部の構成の詳細を示す。図８（ａ）はその平面図を示し、図８（ｂ）は図８（ａ）のＤ−Ｄ断面図である。
【００３２】
実施の形態２では、プライミング電極１４の配線取り出し領域において、誘電体層１５の膜厚が背面基板２００の基板端部に向かって傾斜的に減少する傾斜部３１を有し、背面基板２００と同一平面上に配線取り出し部１８が形成されている。したがってＦＰＣと接続される配線取り出し部２９では、プライミング電極１４とデータ電極９とが同一面上に形成されている。
【００３３】
このように、プライミング電極１４の配線取り出し領域では誘電体層１５の膜厚を傾斜的に減少させ、その上に形成されるプライミング電極１４の膜厚減少あるいは線幅減少などの影響がないようにしてプライミング電極１４の配線の信頼性を確保することができる。さらに、ＦＰＣとの接続がデータ電極９の配線取り出し部１９と同一面上で行えるため、データ電極９へのＦＰＣ接続工程と同一工程で行え、工程の簡便化を図れる。また、プライミング電極１４とデータ電極９を同一平面上に形成することによって、プライミング電極１４の配線用ＦＰＣとデータ電極９の配線用のＦＰＣを共用することも可能になる。
【００３４】
なお、誘電体層１５の傾斜的な厚み変化は段階的でもあるいは直線的であってもよく、誘電体層１５上にプライミング電極１４を形成するに当たって、電極の厚み、線幅の不安定性が解消できる膜厚変化であればよい。
【００３５】
（実施の形態３）
図９に実施の形態３におけるＰＤＰの配線取り出し部の構成の詳細を示す。図９（ａ）はその平面図を示し、図９（ｂ）は図９（ａ）のＥ−Ｅ断面図である。
【００３６】
実施の形態３においては、あらかじめ背面基板２００上に形成されたプライミング電極配線３３と、誘電体層１５に形成されたプライミング電極１４とが、誘電体層１５に設けた導体材料を充填したビアホール部３２によって接続されている。したがって、ＦＰＣと接続される配線取り出し部３０では、データ電極９と同一面上に形成されている。
【００３７】
ビアホール部３２は、誘電体層１５を形成した後に、レーザーなどの加工によって形成し、その後導体材料を充填することによって形成される。この方法によって、プライミング電極１４の配線の信頼性を確保することができる。さらに、ＦＰＣとの接続がデータ電極９の配線取り出し部１９と同一面上で行えるため、データ電極９へのＦＰＣ接続工程と同一工程で行え、工程の簡便化を図れる。
【００３８】
（実施の形態４）
図１０に実施の形態４における配線取り出し部の構成の詳細を示す。図１０（ａ）はその構成を示す背面板の平面図を示し、図１０（ｂ）は図１０（ａ）のＦ−Ｆ断面図である。
【００３９】
図１０に示すように、プライミング電極１４は縦プライミング電極３４と横プライミング電極３５とにより構成され、縦プライミング電極３４はプライミング電極１４の配線取り出し部を兼ねている。縦プライミング電極３４はデータ電極９と同様に背面基板２００上に形成され、横プライミング電極３５は誘電体層１５上に形成されている。なお、横プライミング電極３５上にさらに誘電体層を形成してもよい。縦プライミング電極３４と横プライミング電極３５とが交差する位置の誘電体層１５にはビアホール部３６が形成され、導体材料を充填してお互いの導通を確保している。
【００４０】
このように構成することによって、背面基板２００にデータ電極９を形成する際に、縦プライミング電極３４を同時に形成することができるとともに、プライミング電極１４の配線取り出し部１８でＦＰＣとの接続をデータ電極９の配線取り出し部１９と同一面上で行えるため、データ電極９へのＦＰＣ接続工程と同一工程で行え、工程の簡便化を図れる。
【００４１】
（実施の形態５）
図１１は本発明の実施の形態５におけるＰＤＰの断面図を示す。図１１に示すように、実施の形態５では、背面基板２００に形成される第２電極であるデータ電極９と第３電極であるプライミング電極１４との構成を、実施の形態１に述べた構成と異ならせている。
【００４２】
すなわち、実施の形態５では、背面基板２００上にまずプライミング電極１４を形成し、プライミング電極１４を覆って誘電体層１５を設け、その誘電体層１５上にデータ電極９を設けている。さらに、データ電極９を覆って隔壁形成用の下地ともなる誘電体層１６を設け、その誘電体層１６上に隔壁１０を形成している。このように、実施の形態５では背面基板２００側の構成が異なるのみで、前面基板１００側の構成は実施の形態１と同様である。
【００４３】
したがって、実施の形態５によれば、データ電極９がプライミング電極１４よりも放電空間３に近い位置に形成されている。そのため、データ電極９上に形成される誘電体層１６を薄くすることができ、書き込み放電時の放電電圧を低くすることが可能となり、書き込み放電を安定させることが可能となる。なお、プライミング電極１４上に形成した誘電体層１５は、プライミング電極１４とデータ電極９との間の絶縁層であり、両者の絶縁性を確保する任意の厚みと材料を選択することができる。
【００４４】
実施の形態５におけるプライミング電極１４の配線取り出し部１８とデータ電極９の配線取り出し部１９の構成は、実施の形態１から実施の形態４の構成を実施することができる。ただし、プライミング電極１４およびデータ電極９の位置が、誘電体層１５に対して全て上下逆となる。
【００４５】
一例として、実施の形態１で述べたのと同様の配線取り出し部の構成を図１２に示す。図１２に示すように、図７で示す実施の形態１の構成においては、プライミング電極１４の配線取り出し部１８が誘電体層１５上に設けられていたが、実施の形態５においてはデータ電極９の配線取り出し部５０が誘電体層１５上に設けられ、プライミング電極１４の配線取り出し部５１が背面基板２００上に設けられている。したがって、データ電極９とプライミング電極１４との位置が逆転しても配線の不安定性を解消して信頼性の高い配線を有するＰＤＰを実現することが可能となる。
【００４６】
なお、以上の実施の形態において、誘電体層１５あるいは誘電体層１６がそれぞれ、配線取り出し部においてパターン化された形状を有しているが、それらのパターン形成方法としてはスクリーン印刷法や、フォトエッチング法など公知の製法が適用できる。
【００４７】
また、以上の実施の形態の説明においては、背面板に２層構造の電極を設けた例で説明したが、本発明は、背面板に限定されず、前面板にこのような２層以上の多層構造で電極形成された場合や、前面板と背面板の両者に形成された場合の配線取り出し構成に適用できることは当然である。
【産業上の利用可能性】
【００４８】
以上のように、本発明によれば、ＰＤＰの配線取り出し部において、電極の配線に段差がない構造とすることにより、電極の配線厚みのバラツキを抑え、抵抗が高くなることもなく、信頼性の高いＰＤＰを実現し、大画面表示装置などに有用である。
【図面の簡単な説明】
【００４９】
【図１】本発明の実施の形態１におけるＰＤＰの断面図
【図２】同ＰＤＰの背面板の斜視図
【図３】同ＰＤＰの背面板の平面図
【図４】図３のＡ−Ａ断面図
【図５】同封止接合されたＰＤＰの平面図
【図６】同ＰＤＰの配線取り出し部にＦＰＣを接続した構成を示す断面図
【図７】同ＰＤＰの配線取り出し部の構成図
【図８】本発明の実施の形態２におけるＰＤＰの配線取り出し部の構成図
【図９】本発明の実施の形態３におけるＰＤＰの配線取り出し部の構成図
【図１０】本発明の実施の形態４におけるＰＤＰの配線取り出し部の構成図
【図１１】本発明の実施の形態５におけるＰＤＰの断面図
【図１２】同ＰＤＰの配線取り出し部の構成図
【図１３】従来のＰＤＰにおける配線取り出し部の構成図
【符号の説明】
【００５０】
１    前面板
２    背面板
３    放電空間
４，１５，１６    誘電体層
５    保護膜
６    走査電極
６ａ，７ａ    透明電極
６ｂ，７ｂ    金属母線
７    維持電極
８    光吸収層
９    データ電極
１０    隔壁
１０ａ    縦壁部
１０ｂ    横壁部
１１    セル空間
１２    蛍光体層
１３    隙間部
１４    プライミング電極
１７，１７Ｂ，１７Ｇ，１７Ｒ    放電空間
１８，１９，２９，３０，５０，５１    配線取り出し部
２０，４０    段差部
２１    下端部
２２    上端部
２３    ＦＰＣ
２４    ベースフィルム
２５    配線パターン
２６    カバーフィルム
２７    異方導電性材料
２８    接着剤
３１    傾斜部
３２，３６    ビアホール部
３３    プライミング電極配線
３４    縦プライミング電極
３５    横プライミング電極
１００    前面基板
２００    背面基板
【図１】
2004273425.tif 000003
【図２】
2004273425.tif 000004
【図３】
2004273425.tif 000005
【図４】
2004273425.tif 000006
【図５】
2004273425.tif 000007
【図６】
2004273425.tif 000008
【図７】
2004273425.tif 000009
【図８】
2004273425.tif 000010
【図９】
2004273425.tif 000011
【図１０】
2004273425.tif 000012
【図１１】
2004273425.tif 000013
【図１２】
2004273425.tif 000014
【図１３】
2004273425.tif 000015